(57)【要約】      （修正有）【課題】おくるみ及び授乳用ケープ等の複数用途に利用することができ、おくるみとして利用する際には不要となる紐部材を好適に収容できる乳幼児用防寒具を提供する。【解決手段】紐部２１の雌型のスナップボタン２３と本体部の雄型のスナップボタン１４とを留めて紐部の自由端２１ｂを本体部に固定することにより、本体部と紐部とを連結することができる。また、紐部２２の雄型のスナップボタン２４と本体部の雌型のスナップボタン１５とを留めて紐部の自由端２２ｂを本体部に固定することにより、本体部と紐部とを連結することができる。さらに、紐部２１の自由端側の雌型のスナップボタンと、紐部２２の自由端側の雄型のスナップボタンとを留めることにより、２つの紐部とをループ状に連結して首掛け紐として使用することができる。【選択図】図３
0003215035.tif 000002
【実用新案登録請求の範囲】
【請求項１】
所定形状の布体から成る本体部と、
一端を前記本体部の裏地側に取付けられた複数の紐部と、を備えた乳幼児用防寒具であって、
前記紐部は、その長手方向が前記本体部の周縁に沿う方向であって一の紐部の自由端側と他の紐部の自由端側とが対向する状態で取り付けられると共に、前記紐部の前記自由端側の所定箇所に前記本体部の裏地側及び他の紐部の自由端側と着脱可能な紐部側留め具を備え、
前記本体部は、前記周縁の裏地側に前記紐部の前記自由端側を接触させた際に前記紐部側留め具と対向する位置に、前記紐部側留め具と合致する形状の本体部側留め具を備えたことを特徴とする乳幼児用防寒具。
【請求項２】
矩形形状の布体から成る本体部と、
一端を前記本体部の裏地側に取付けられた紐部である第一紐部及び第二紐部と、を備えた乳幼児用防寒具であって、
前記第一紐部及び前記第二紐部は、その長手方向が前記本体部の周縁の一辺と並行する方向であって、前記周縁の一辺の略中央部分において前記第一紐部の自由端側と前記第二紐部の自由端側とが対向する状態で取り付けられると共に、前記第一紐部及び前記第二紐部の前記自由端側の所定箇所に前記本体部の裏地側及び他の紐部の自由端側と着脱可能な紐部側留め具を備え、
前記本体部は、前記周縁の一辺の裏地側に前記第一紐部及び前記第二紐部の前記自由端側を接触させた際に前記紐部側留め具と対向する位置に、前記紐部側留め具と合致する形状の本体部側留め具を備えたことを特徴とする乳幼児用防寒具。
【請求項３】
前記紐部は、前記自由端側を前記本体部に連結したときに、前記本体部の周縁から前記本体部の外側方向にはみ出ない位置に収容できることを特徴とする請求項１又は２に記載の乳幼児用防寒具。
【請求項４】
前記本体部の裏地側に、前記紐部を収容可能な袋状又は筒状の収容部を備えたことを特徴とする請求項１乃至３のいずれか１項に記載の乳幼児用防寒具。
【考案の詳細な説明】
【技術分野】
【０００１】
本考案は、乳幼児を覆う乳幼児用防寒具に係り、特に、おくるみ及び授乳用ケープ等の複数用途に利用することができる乳幼児用防寒具に関する。
【背景技術】
【０００２】
従来から、乳幼児に関する布製用品が種々開示されており、例えば、乳幼児用の防寒具としておくるみが知られている。おくるみは、略四角形状の布地から構成されており、その一対角線上に乳幼児を寝かせ、その対角線を挟む両側部分をそれぞれ内側へ巻いて相互に重ね合わせることにより、乳幼児の体を包み込むものである（特許文献１）。
また、その他の乳幼児に関する布製用品としては、例えば、授乳用ケープが知られている。授乳用ケープは、人目のある場所や環境において授乳する際に着用するものであり、専用の布等で母親の乳房を覆い隠し、他人に乳房を見られることなく乳幼児に授乳することができるものである（特許文献２）。
【０００３】
例えば、特許文献１には、利用者の身体を覆い得る大きさを有する所定形状の布体と、布体に形成された紐通路に挿通された紐体とを備え、紐通路は布体の上縁部に始端及び終端を有する略Ｕ字状に形成されるとともに外部に開口された開口部を有した多用途アフガン（おくるみ）が開示されている。
この特許文献１に記載の多用途アフガンでは、上記構成により、そのまま乳幼児にかぶせて掛け布団や膝掛けとして利用できる他、開口部から紐体の端部を引き出して布体の上部にフード状の部分を形成することによって、防災頭巾や入浴後に着用する衣服としても利用することができる。
【０００４】
また、例えば、特許文献２には、伸縮性の方法を施した胸元衿ぐりと脇とを有する台形のかたちをした前掛け本体に、個々のサイズに調整が可能な首掛け紐状と腰紐状を設け、シワ加工を施した状態で衣服の上に重ねて着用できる授乳用前掛けが開示されている。
この特許文献２に記載の授乳用前掛けでは、上記構成により、瞬時に着脱ができ、他人に乳房を見られることなく、授乳に類する作業や確認を安心して行うことができ、しわを気にせずコンパクトサイズに収納して携帯することができる。
【先行技術文献】
【特許文献】
【０００５】
【特許文献１】特開２００６−２１４０２５号公報
【特許文献２】特開２００２−１６１４１６号公報
【考案の概要】
【考案が解決しようとする課題】
【０００６】
乳幼児に関する布製用品においては、特許文献１のように、多用途に利用できるように設計されているものも多い。特に、乳幼児と外出した際に、おくるみとしても利用できるうえ、特許文献２のような授乳用ケープとしても利用できるものがあれば、母親としても大変便利である。
しかしながら、多用途に利用できるように種々の機能を付加すると、ある用途では必要な部材であっても、他の用途では不要な部材となることも多い。例えば、特許文献１のおくるみの場合、紐体を備えることによって、防災頭巾や入浴後に着用する衣服としても利用することができるが、おくるみ、掛け布団又は膝掛け等として利用する場合は、その紐体は不要であり、却って邪魔になってしまうことがある。また、仮に、その紐体を取り外し可能とした場合、使用しないときは別途保管する必要があり、取り外した紐体を紛失してしまう等のおそれもある。
特に、おくるみと授乳用ケープとの兼用の場合であっても、授乳用ケープとして利用する際に必要となる首掛け紐は、おくるみとして利用する際には不要となるので、上記同様の問題が生じる。
【０００７】
本考案は、上記の課題に鑑みてなされたものであり、本考案の目的は、おくるみ及び授乳用ケープ等の複数用途に利用することができるうえ、おくるみとして利用する際には不要となる部材を好適に収容することができる乳幼児用防寒具を提供することにある。
【課題を解決するための手段】
【０００８】
前記課題は、本考案の乳幼児用防寒具によれば、所定形状の布体から成る本体部と、一端を前記本体部の裏地側に取付けられた複数の紐部と、を備えた乳幼児用防寒具であって、前記紐部は、その長手方向が前記本体部の周縁に沿う方向であって一の紐部の自由端側と他の紐部の自由端側とが対向する状態で取り付けられると共に、前記紐部の前記自由端側の所定箇所に前記本体部の裏地側及び他の紐部の自由端側と着脱可能な紐部側留め具を備え、前記本体部は、前記周縁の裏地側に前記紐部の前記自由端側を接触させた際に前記紐部側留め具と対向する位置に、前記紐部側留め具と合致する形状の本体部側留め具を備えたこと、により解決される。
また、本考案の乳幼児用防寒具によれば、矩形形状の布体から成る本体部と、一端を前記本体部の裏地側に取付けられた紐部である第一紐部及び第二紐部と、を備えた乳幼児用防寒具であって、前記第一紐部及び前記第二紐部は、その長手方向が前記本体部の周縁の一辺と並行する方向であって、前記周縁の一辺の略中央部分において前記第一紐部の自由端側と前記第二紐部の自由端側とが対向する状態で取り付けられると共に、前記第一紐部及び前記第二紐部の前記自由端側の所定箇所に前記本体部の裏地側及び他の紐部の自由端側と着脱可能な紐部側留め具を備え、前記本体部は、前記周縁の一辺の裏地側に前記第一紐部及び前記第二紐部の前記自由端側を接触させた際に前記紐部側留め具と対向する位置に、前記紐部側留め具と合致する形状の本体部側留め具を備えたこと、により解決される。
【０００９】
上記構成により、留め具を着脱するだけという簡単な作業のみで、おくるみと授乳用ケープとの両方の用途に利用することができる。特に、授乳用ケープとして利用する際には、紐部側留め具により互いの紐部同士を連結して首掛け用の紐とする一方、おくるみとして利用する際には、紐部側留め具と本体側留め具とにより紐部を本体部に連結することより本体部と一体化して好適に収容することができる。また、紐部は、本体部の周縁に沿う方向で本体部の裏地側に取り付けられているので、本体部に連結しても、おくるみとして利用する際に邪魔になることがない。さらに、紐部はその一端を本体部に縫着等により取り付けられているため、取り外して別途保管する必要もなく紛失する心配もない。
【００１０】
また、前記紐部は、前記自由端側を前記本体部に連結したときに、前記本体部の周縁から前記本体部の外側方向にはみ出ない位置に収容できると、好適である。
上記構成により、紐部を本体部に連結したときに本体部の周縁から外側にはみ出さないので、より好適に収容することができ、おくるみとして利用する際に邪魔になることがない。
【００１１】
また、前記本体部の裏地側に、前記紐部を収容可能な袋状又は筒状の収容部を備えると、好適である。
上記構成により、紐部を本体部に連結したときに収容部により紐部の一部又は全部を収容できるので、より好適に収容することができ、おくるみとして利用する際に邪魔になることがない。
【考案の効果】
【００１２】
本考案の乳幼児用防寒具によれば、おくるみ及び授乳用ケープ等の複数用途に利用することができるうえ、おくるみとして利用する際には不要となる部材を好適に収容することができる。
【図面の簡単な説明】
【００１３】
【図１】本考案に係る乳幼児用防寒具の平面図である。
【図２】同乳幼児用防寒具の側面図である。
【図３】同乳幼児用防寒具の要部拡大図である。
【図４】同乳幼児用防寒具の紐部同士を連結した状態を示す説明図である。
【図５】同乳幼児用防寒具の他の実施形態を示す要部拡大図である。
【図６】同乳幼児用防寒具の使用態様の一例を示す説明図である。
【図７】同乳幼児用防寒具の使用態様の他の一例を示す説明図である。
【考案を実施するための形態】
【００１４】
以下、本考案の一実施形態（本実施形態）について図面を参照して説明する。
本実施形態は、おくるみ及び授乳用ケープ等の複数用途に利用することができる乳幼児用防寒具に関するものである。
【００１５】
まず、本実施形態に係る乳幼児用防寒具１０の基本構成について説明する。
図１は、乳幼児用防寒具１０の一例を示す平面図であり、具体的には、本体部１１を展開した状態において裏地１２側から見た状態を示す平面図である。図２は、図１の状態の乳幼児用防寒具１０の側面図である。図３は、乳幼児用防寒具１０の要部である紐部２１，２２付近の拡大図であり、（ａ）は本体部１１と紐部２１，２２とを取り外した状態を示し、（ｂ）は本体部１１と紐部２１，２２とを取り付けた状態を示す。図４は、乳幼児用防寒具１０の一の紐部２１と他の紐部２２とを連結した状態を示す説明図である。
【００１６】
図１及び図２に示すように、乳幼児用防寒具１０は、本体部１１と、その本体部１１に取り付けられた２本の紐部２１，２２とから主に構成されている。
図１に示すように、本体部１１は、展開状態で平面視略正方形のシート状部材である。本体部１１は、コットンを平織りにしたガーゼ生地を３重に重合したものから成り、具体的には、本実施形態では、織目が細かく通気性が高い素材であり、肌触りが非常に良く、柔らいながらも耐久性が強いコットンを利用している。本体部１１の周縁１３は、従来既知の裁縫技術により、共地を用いてパイピング加工がなされている。
【００１７】
図１に示すように、本体部１１の裏地１２側には、周縁１３のうち所定の一辺（本実施形態では上辺部分１３a）に、第一紐部である紐部２１と第二紐部である紐部２２の２本の紐部２１，２２が、その一端である固定端２１ａ，２２ａを本体部１１に縫着することにより、取り付けられている。
紐部２１，２２は、本体部１１と同じガーゼ生地から成る布片であり、その長手方向が本体部１１の周縁１３に沿う方向、すなわち、周縁１３の上辺部分１３ａと並行して取り付けられている。また、紐部２１，２２は、固定端２１ａ，２２ａ側と反対側の端部である自由端２１ｂ，２２ｂ側が周縁１３の上辺部分１３ａの略中央付近で互いに向き合う位置に取り付けられている。
【００１８】
図３（ａ）に示すように、紐部２１，２２の自由端２１ｂ，２２ｂ側には、紐部側留め具であるスナップボタン２３，２４をそれぞれ備えている。具体的には、紐部２１の自由端２１ｂの本体部１１に接する面側には、雌型のスナップボタン２３が備えられている。紐部２２の自由端２２ｂの本体部１１に接する面側には、雄型のスナップボタン２４が備えられている。
一方、図３（ａ）に示すように、本体部１１の裏面１２側の上辺部分１３ａには、紐部２１を本体部１１に収容する際、具体的には、紐部２１の自由端２１ｂ側を本体部１１の裏面１２側に接触させた際に、その紐部２１のスナップボタン２３と対向する位置に、紐部２１の雌型のスナップボタン２３と合致する形状の本体部側留め具である雄型のスナップボタン１４を備えている。また、紐部２２を本体部１１に収容する際、具体的には、紐部２２の自由端２２ｂ側を本体部１１の裏面１２側に接触させた際に、その紐部２２のスナップボタン２４と対向する位置に、紐部２２の雄型のスナップボタン２４と合致する形状の本体部側留め具である雌型のスナップボタン１５を備えている。
【００１９】
上記構成により、紐部２１の雌型のスナップボタン２３と本体部１１の雄型のスナップボタン１４とを留めて紐部２１の自由端２１ｂを本体部１１に固定することによって、図３（ｂ）に示すように、本体部１１と紐部２１とを連結することができる。同様に、紐部２２の雄型のスナップボタン２４と本体部１１の雌型のスナップボタン１５とを留めて紐部２２の自由端２２ｂを本体部１１に固定することによって、図３（ｂ）に示すように、本体部１１と紐部２１とを連結することができる。
なお、このとき、紐部２１，２２は、本体部１１の周縁１３より外側にはみ出さないように、位置、向き、形状が設定されている。
【００２０】
図４に示すように、本体部１１から取り外した紐部２１，２２の自由端２１ｂ，２２ｂは、互いに連結することができる。具体的には、紐部２１の自由端２１ｂ側の雌型のスナップボタン２３と、紐部２２の自由端２２ｂ側の雄型のスナップボタン２４とを留めることにより、紐部２１と紐部２２とを連結して、ループ状に形成することができる。上記構成により、乳幼児用防寒具１０を授乳用ケープとして利用する際には、その連結した紐部２１，２２が母親の首掛け紐となる。
【００２１】
また、紐部２１，２２を本体部１１により好適に収容するために、袋状の収容部１６や筒状の収容部１７を本体部１１に備えることとしてもよい。
図５は、乳幼児用防寒具１０の要部である紐部２１，２２付近の他の実施形態を示す拡大図であり、（ａ）は袋状の収容部１６を備えた例、（ｂ）は筒状の収容部１７を備えた例を示す。
【００２２】
図５（ａ）に示すように、本体部１１は袋状の収容部１６を備えることとしてもよい。具体的には、収容部１６は、本体部１１の裏地１２側に、紐部２１，２２のスナップボタン２３，２４を本体部１１のスナップボタン１４，１５に留めたときに、本体部１１に固定された自由端２１ｂ，２２ｂ側を収容できる位置にそれぞれ備えられている。上記構成により、紐部２１，２２の先端である自由端２１ｂ，２２ｂ側の一部が収容部１６内に収容される。
なお、この袋状の収容部１６は、本体部１１と同じガーゼ生地から成る布片の三辺を本体部１１に縫着することにより形成することができる。
【００２３】
また、図５（ｂ）に示すように、本体部１１は筒状の収容部１７を備えることとしてもよい。具体的には、収容部１７は、本体部１１の裏地１２側に、紐部２１，２２のスナップボタン２３，２４を本体部１１のスナップボタン１４，１５に留める際に、紐部２１，２２が通過する位置にそれぞれ備えられている。上記構成により、紐部２１，２２が収容部１７の内側を貫通し、紐部２１，２２の一部、具体的には、固定端２１ａ，２２ａとスナップボタン２３，２４の間に位置する部分が収容部１７内に収容される。
なお、この袋状の収容部１６又は筒状の収容部１７は、本体部１１と同じガーゼ生地から成る布片の二辺を本体部１１に縫着することにより形成することができる。
【００２４】
このように、乳幼児用防寒具１０は、肌に優しいコットンを３重に重ね合せたガーゼ生地を素材として用いることにより、軽量でありながらも、おくるみや授乳用ケープとして、乳幼児の体を包み込んだ際に乳幼児の体温を暖めることができるように構成されている。なお、本実施形態では、３重のガーゼ生地を素材として用いたが、これに限定されるものではない。
【００２５】
なお、乳幼児用防寒具１０の寸法構成の一例について言及すると、本体部１１の各辺の長さは約１００ｃｍであり、紐部２１，２２の長手方向の長さはそれぞれ約１８ｃｍである。このくらいのサイズに設定することにより、おくるみや授乳用ケープとして利用する際に、乳幼児をゆったりと包み込むことができる。また、授乳用ケープとして利用する際の首掛け紐の長さとして最適である。ただし、上記は寸法の一例であり、当然ながらこれらの寸法に限定されるものではない。
【００２６】
また、本実施形態では本体部１０の形状が矩形（略正方形）の例を挙げたが、その他の形状であっても可能である。例えば、円形、楕円形、又は五角形等のその他の多角形であってもよい。
また、本実施形態では、紐部２１，２２は２本としたが、それ以上設けることも可能である。例えば、本実施形態では、本体部１０の周縁１３のうち上辺部分１３ａのみに２本の紐部２１，２２を設けたが、その上辺部分１３ａにさらに複数の紐部（不図示）を設けてもよいし、本体部１０の他の周縁１３、例えば、左右の周縁１３に複数の紐部（不図示）をさらに設けることとしてもよい。
【００２７】
本実施形態の乳幼児用防寒具１０は、上記の構成により、以下のような種々の用途に利用することが可能である。
なお、以下に挙げる使用例はごく一例であり、これらの用途に限定されるものではなく、本実施形態の乳幼児用防寒具１０の構成を好適に活用できる用途であれば、如何なる用途に使用してもよい。
【００２８】
図６及び図７は、乳幼児用防寒具１０の使用態様の一例を示す説明図である。具体的には、図６は、乳幼児用防寒具１０をおくるみとして利用する場合を示し、図７は、乳幼児用防寒具１０を授乳用ケープとして利用する場合を示す。
【００２９】
図６に示すように、乳幼児用防寒具１０をおくるみとして利用する場合は、本体部１１の上に乳幼児を寝かせ、余った両側部分をそれぞれ内側へ巻いて相互に重ね合わせることにより、乳幼児の体を包み込むようにして利用する。
このとき、紐部２１の雌型のスナップボタン２３と本体部１１の雄型のスナップボタン１４とを留めて紐部２１の自由端２１ｂを本体部１１に固定することによって、本体部１１と紐部２１とを連結し、紐部２２の雄型のスナップボタン２４と本体部１１の雌型のスナップボタン１５とを留めて紐部２２の自由端２２ｂを本体部１１に固定することによって、本体部１１と紐部２１とを連結する。これにより、おくるみとして利用する際に不要となる紐部２１，２２は、本体部１１と一体になるので、紐部２１，２２が邪魔になることがない。
なお、２つ折り等にした本体部１１をそのまま乳幼児に被せてブランケットとして利用することもできる。
【００３０】
図７に示すように、乳幼児用防寒具１０を授乳用ケープとして利用する場合は、本体部１１から取り外した紐部２１，２２の自由端２１ｂ，２２ｂを互いに連結して首掛け紐とし、母親は乳幼児を抱いた状態で首掛け紐を自身の首に掛け、乳幼児と自身の乳房とを覆い隠した状態で着用する。
このとき、紐部２１の自由端２１ｂ側の雌型のスナップボタン２３と、紐部２２の自由端２２ｂ側の雄型のスナップボタン２４とを留め、紐部２１と紐部２２とを連結して、ループ状に形成することにより、首掛け紐を形成することができる。
【００３１】
このように、本実施形態の乳幼児用防寒具１０は、留め具であるスナップボタン１４，１５，２３，２４を適宜着脱するだけという簡単な作業のみで、おくるみと授乳用ケープとの両方の用途に利用することができる。具体的には、授乳用ケープとして利用する際には、紐部２１，２２同士を連結して首掛け紐とする一方、おくるみとして利用する際には、紐部２１，２２を本体部１１に連結することより本体部１１と一体化して好適に収容することができる。特に、紐部２１，２２は、本体部１１の周縁１３の上辺部分１３ａと並行して本体部１１の裏地１２側に取り付けられているので、本体部１１に連結しても本体部１１の周縁１３から外側にはみ出ず、おくるみとして利用する際に邪魔になることがない。また、紐部２１，２２はその一端である固定端２１ａ，２２ａを本体部１１に縫着等により取り付けられているため、紐部２１，２２を取り外して別途保管する必要もなく紛失する心配もない。
そのため、外出の際に荷物が多くて困っている母親も、本実施形態の乳幼児用防寒具１０があれば、外出時の荷物を軽減できて便利である。
【００３２】
また、素材として、コットンを３重に重ね合せたガーゼ生地を素材として用いることにより、ふんわりと軽く優しい肌触りであり、おくるみや授乳用ケープとして、乳幼児の体を包み込んだ際に乳幼児の体温を暖めることができる。
なお、リバーシブルにデザインすれば、気分や好みによって、見た目を変えることもできる。
【００３３】
以上のように、上記の実施形態では、主として本考案の乳幼児用防寒具について説明した。
ただし、上記の実施形態は、本考案の理解を容易にするための一例に過ぎず、本考案を限定するものではない。本考案は、その趣旨を逸脱することなく、変更、改良され得ると共に、本考案にはその等価物が含まれることは勿論である。
【符号の説明】
【００３４】
１０    乳幼児用防寒具
１１    本体部
１２    裏地
１３    周縁
１３ａ  上辺部分
１４    スナップボタン
１５    スナップボタン
１６    収容部
１７    収容部
２１    紐部
２１ａ  固定端
２１ｂ  自由端
２２    紐部
２２ａ  固定端
２２ｂ  自由端
２３    スナップボタン
２４    スナップボタン
【図１】
0003215035.tif 000003
【図２】
0003215035.tif 000004
【図３】
0003215035.tif 000005
【図４】
0003215035.tif 000006
【図５】
0003215035.tif 000007
【図６】
0003215035.tif 000008
【図７】
0003215035.tif 000009